(57)【要約】      （修正有）【課題】ロングタッチと認証タッチの判断基準を明確にして、この二つの混同による問題点を解消できるようにするタッチの種類の判別方法及びこれを遂行するタッチ入力装置を提供する。【解決手段】タッチスクリーンを含むタッチ入力装置におけるタッチの種類の判別方法において、タッチスクリーンに対するタッチが所定条件を満たすことを維持する時間が、所定基準時間以上であるか否かを判断する認証タッチ判断段階と、タッチが所定条件を満たすか否か及びタッチが維持される時間に応じてタッチの種類を判断するタッチの種類の判断段階と、を含む。【選択図】図５
2018156655.tif 000002
【特許請求の範囲】
【請求項１】
タッチスクリーンを含むタッチ入力装置におけるタッチの種類の判別方法において、
前記タッチスクリーンに対するタッチが所定条件を満たすか否かを判断する段階と、
前記タッチが所定条件を満たすか否か及び前記タッチが維持される時間に応じて前記タッチの種類を判断するタッチの種類の判断段階と、を含む、
タッチの種類の判別方法。
【請求項２】
前記タッチの種類の判断段階は、前記タッチがロングタッチ判断基準時点以前に所定条件を満たし始めて、前記タッチが所定条件を満たすことを維持する時間が所定基準時間以上である場合、前記タッチを認証タッチと判断する段階を含む、
請求項１に記載のタッチの種類の判別方法。
【請求項３】
前記タッチの種類の判断段階は、前記タッチが所定条件を満たすことを維持する時間が、所定基準時間以上である条件がロングタッチ判断基準時点以前に満たされる場合、前記タッチを認証タッチと判断する段階を含む、
請求項１に記載のタッチの種類の判別方法。
【請求項４】
前記タッチの種類の判断段階は、前記タッチが所定条件を満たすか否か、前記タッチが維持される時間及び前記タッチによって印加された圧力に応じて前記タッチの種類を判断し、前記タッチが所定条件を満たすことを維持する時間が、所定基準時間以上である条件を満たす時まで前記タッチによって印加された圧力が所定の基準圧力以上にならない場合、前記タッチを認証タッチと判断する段階を含む、
請求項１に記載のタッチの種類の判別方法。
【請求項５】
前記タッチの種類の判断段階は、前記タッチが認証タッチと判断されず、前記タッチによって印加された圧力が所定の基準圧力以上である場合、前記タッチを圧力タッチと判断する段階を含む、
請求項４に記載のタッチの種類の判別方法。
【請求項６】
前記タッチの種類の判断段階は、前記タッチが所定条件を満たすか否か、前記タッチが維持される時間及び前記タッチによって印加された圧力に応じて前記タッチの種類を判断し、前記タッチが所定条件を満たし始める前まで前記タッチによって印加された圧力が所定の基準圧力以上にならず、前記タッチが所定条件を満たすことを維持する時間が所定基準時間以上である場合、前記タッチを認証タッチと判断する段階を含む、
請求項１に記載のタッチの種類の判別方法。
【請求項７】
前記タッチの種類の判断段階は、前記タッチが認証タッチと判断されず、前記タッチによって印加された圧力が所定の基準圧力以上である場合、前記タッチを圧力タッチと判断する段階を含む、
請求項６に記載のタッチの種類の判別方法。
【請求項８】
前記タッチの種類の判断段階は、
前記タッチが認証タッチと判断されず、前記タッチがロングタッチ判断基準時点以前に解除される場合、前記タッチをタップタッチと判断する段階を含む、
請求項２ないし７に記載のタッチの種類の判別方法。
【請求項９】
前記タッチの種類の判断段階は、
前記タッチが認証タッチと判断されず、前記タッチがロングタッチ判断基準時点まで維持される場合、前記タッチをロングタッチと判断する段階を含む、
請求項２ないし７に記載のタッチの種類の判別方法。
【請求項１０】
前記所定条件は、前記タッチのタッチ面積が所定の基準面積以上の条件である、
請求項１ないし７に記載のタッチの種類の判別方法。
【請求項１１】
前記所定条件は、前記タッチから所定の基準パターンが認識される条件である、
請求項１ないし７に記載のタッチの種類の判別方法。
【請求項１２】
タッチスクリーンと、
タッチコントローラと、
プロセッサと、を含み、
前記タッチコントローラは、前記タッチスクリーンに入力されるタッチのタッチ位置、タッチ面積、タッチ圧力、及び前記タッチによる電気的特性の変化量のうちの少なくともいずれか一つを前記プロセッサに伝送し、
前記プロセッサは、前記タッチコントローラから伝送された前記タッチ位置、前記タッチ面積、前記タッチ圧力、及び前記電気的特性の変化量のうちの少なくともいずれか一つを用いて前記タッチが所定条件を満たすか否かを判断し、前記タッチが維持される時間を算出して、前記タッチが前記所定条件を満たすか否か及び前記タッチが維持される時間によって前記タッチの種類を判断する、
タッチの種類の判別が可能なタッチ入力装置。
【請求項１３】
前記プロセッサは、前記タッチがロングタッチ判断基準時点以前に所定条件を満たし始めて、前記タッチが所定条件を満たすことを維持する時間が所定基準時間以上である場合、前記タッチを認証タッチと判断する、
請求項１２に記載のタッチの種類の判別が可能なタッチ入力装置。
【請求項１４】
前記プロセッサは、前記タッチが所定条件を満たすことを維持する時間が、所定基準時間以上の条件がロングタッチ判断基準時点以前に満たされる場合、前記タッチを認証タッチと判断する、
請求項１２に記載のタッチの種類の判別が可能なタッチ入力装置。
【請求項１５】
前記プロセッサは、前記タッチが前記所定条件を満たすか否か、前記タッチが維持される時間及び前記タッチ圧力によって前記タッチの種類を判断し、前記タッチが所定条件を満たすことを維持する時間が所定基準時間以上である条件を満たす時まで、前記タッチによって印加された圧力が所定の基準圧力以上にならない場合、前記タッチを認証タッチと判断する、
請求項１２に記載のタッチの種類の判別が可能なタッチ入力装置。
【請求項１６】
前記プロセッサは、前記タッチが認証タッチと判断されず、前記タッチによって印加された圧力が所定の基準圧力以上である場合、前記タッチを圧力タッチと判断する、
請求項１５に記載のタッチの種類の判別が可能なタッチ入力装置。
【請求項１７】
前記プロセッサは、前記タッチが前記所定条件を満たすか否か、前記タッチが維持される時間及び前記タッチ圧力によって前記タッチの種類を判断し、前記タッチが所定条件を満たし始める前まで前記タッチによって印加された圧力が所定の基準圧力以上にならず、前記タッチが所定条件を満たすことを維持する時間が所定基準時間以上である場合、前記タッチを認証タッチと判断する、
請求項１２に記載のタッチの種類の判別が可能なタッチ入力装置。
【請求項１８】
前記プロセッサは、前記タッチが認証タッチと判断されず、前記タッチによって印加された圧力が所定の基準圧力以上である場合、前記タッチを圧力タッチと判断する、
請求項１７に記載のタッチの種類の判別が可能なタッチ入力装置。
【請求項１９】
前記プロセッサは、前記タッチが認証タッチと判断されず、前記タッチがロングタッチ判断基準時点以前に解除される場合、前記タッチをタップタッチと判断する、
請求項１３ないし１８に記載のタッチの種類の判別が可能なタッチ入力装置。
【請求項２０】
前記プロセッサは、前記タッチが認証タッチと判断されず、前記タッチがロングタッチ判断基準時点まで維持される場合、前記タッチをロングタッチと判断する、
請求項１３ないし１８に記載のタッチの種類の判別が可能なタッチ入力装置。
【請求項２１】
前記所定条件は、前記タッチ面積が所定の基準面積以上の条件である、
請求項１３ないし１８のいずれか１項に記載のタッチの種類の判別が可能なタッチ入力装置。
【請求項２２】
前記所定条件は、前記タッチから所定の基準パターンが認識される条件である、
請求項１３ないし１８のいずれか１項に記載のタッチの種類の判別が可能なタッチ入力装置。
【発明の詳細な説明】
【技術分野】
【０００１】
本発明は、タッチの種類の判別方法及びこれを遂行するタッチ入力装置に関するものである。より具体的に、本発明は、一つのタッチ入力装置においてロングタッチと認証タッチの判断基準を明確にして、この二つの混同による問題点を解消できるようにする技術に関する。
【背景技術】
【０００２】
コンピューティングシステムの操作のために、多様な種類の入力装置が用いられている。例えば、ボタン（button）、キー（key）、ジョイスティック（joystick）、タッチスクリーンのような入力装置が用いられている。タッチスクリーンの手軽で簡単な操作により、コンピューティングシステムの操作時にタッチスクリーンの利用が増加している。
【０００３】
タッチスクリーンは、タッチ−感応表面（touch-sensitive surface）を備えた透明なパネルとタッチ入力手段であるタッチセンサ（touch sensor）でタッチ入力装置のタッチ表面を構成することができる。このようなタッチセンサは、ディスプレイスクリーンの前面に付着され、タッチ−感応表面がディスプレイスクリーンの見える面を覆うことができる。ユーザが指などでタッチスクリーンを単純にタッチすることによって、ユーザがコンピューティングシステムを操作することができるようにする。一般的に、コンピューティングシステムは、タッチスクリーン上のタッチ及びタッチ位置を認識して、このようなタッチを解釈することによって、これに従い演算を遂行することができる。
【０００４】
タッチスクリーンを含むタッチ入力装置において、タッチスクリーンを介したユーザと装置間のインタラクション（interaction）を通じて多様な業務が遂行され得る。このような多様な業務を遂行するために、タッチスクリーンに対する単純なタッチだけでなく、時間的に長いロングタッチ、圧力の大きさによって異なる入力値を有する圧力タッチ、及びユーザ認証のための認証タッチを判別する必要性が要求されている。
【発明の概要】
【発明が解決しようとする課題】
【０００５】
本発明の目的は、タッチ入力装置において、ロングタッチと認証タッチを判別できるようにする技術を提供することにある。
【０００６】
本発明の目的は、タッチ入力装置において、ロングタッチ、圧力タッチ、及び認証タッチを判別できるようにする技術を提供することにある。
【課題を解決するための手段】
【０００７】
本発明の実施形態によるタッチの種類の判別方法は、タッチスクリーンを含むタッチ入力装置におけるタッチの種類の判別方法において、前記タッチスクリーンに対するタッチが所定条件を満たすか否かを判断する段階と、前記タッチが所定条件を満たすか否か及び前記タッチが維持される時間によって前記タッチの種類を判断するタッチの種類の判断段階と、を含んでもよい。
【０００８】
本発明の実施形態によるタッチの種類の判別が可能なタッチ入力装置は、タッチスクリーンと、タッチコントローラと、プロセッサと、を含み、前記コントローラは、前記タッチスクリーンに入力されるタッチのタッチ位置、タッチ面積、タッチ圧力、及び前記タッチによる電気的特性の変化量のうちの少なくともいずれか一つを前記プロセッサに伝送し、前記プロセッサは、前記タッチコントローラから伝送された前記タッチ位置、前記タッチ面積、前記タッチ圧力、及び前記電気的特性の変化量のうちの少なくともいずれか一つを用いて前記タッチが所定条件を満たすか否かを判断し、前記タッチが維持される時間を算出して、前記タッチが前記所定条件を満たすか否か及び前記タッチが維持される時間によって前記タッチの種類を判断することができる。
【発明の効果】
【０００９】
本発明の実施形態によれば、タッチ入力装置において、ロングタッチと認証タッチを明確に判別できる方法を提供することができる。
【００１０】
本発明の実施形態によれば、タッチ入力装置において、ロングタッチ、圧力タッチ、及び認証タッチを明確に判別できる方法を提供することができる。
【００１１】
また、本発明の実施形態によれば、ロングタッチと認証タッチを明確に判別できる方法を実行できるタッチスクリーンを含むタッチ入力装置を提供することができる。
【００１２】
また、本発明の実施形態によれば、ロングタッチ、圧力タッチ、及び認証タッチを明確に判別できる方法を実行できるタッチスクリーンを含むタッチ入力装置を提供することができる。
【００１３】
また、本発明の実施形態によれば、認証タッチの判断基準になる所定基準をユーザが設定できるようにする方法及びタッチ入力装置を提供することができる。
【図面の簡単な説明】
【００１４】
【図１】本発明の実施形態によるタッチ入力装置の構造図である。
【図２ａ】タッチによる電気的特性の変化量を説明するための図面である。
【図２ｂ】タッチによる電気的特性の変化量を説明するための図面である。
【図３ａ】タッチ時間を説明するための図面である。
【図３ｂ】タッチ時間を説明するための図面である。
【図４ａ】本発明の実施形態によるタッチ入力装置において各種センサが配置される形態を説明するための図面である。
【図４ｂ】本発明の実施形態によるタッチ入力装置において各種センサが配置される形態を説明するための図面である。
【図４ｃ】本発明の実施形態によるタッチ入力装置において各種センサが配置される形態を説明するための図面である。
【図５】本発明の実施形態によるロングタッチと認証タッチの判別方法によって区別されるタッチの種類を示すグラフである。
【図６】本発明の実施形態によるロングタッチと認証タッチの判別方法に対するフローチャートである。
【図７ａ】本発明の実施形態によるロングタッチと認証タッチの多様な発生時点を説明するための時間グラフである。
【図７ｂ】本発明の実施形態によるロングタッチと認証タッチの多様な発生時点を説明するための時間グラフである。
【図７ｃ】本発明の実施形態によるロングタッチと認証タッチの多様な発生時点を説明するための時間グラフである。
【図７ｄ】本発明の実施形態によるロングタッチと認証タッチの多様な発生時点を説明するための時間グラフである。
【図８】本発明の実施形態によるロングタッチと認証タッチの他の判別方法に対するフローチャートである。
【図９】本発明の実施形態によるロングタッチ、圧力タッチ、及び認証タッチの判別方法に対するフローチャートである。
【図１０ａ】本発明の実施形態によるロングタッチ、圧力タッチ、及び認証タッチの多様な発生時点を説明するための時間グラフである。
【図１０ｂ】本発明の実施形態によるロングタッチ、圧力タッチ、及び認証タッチの多様な発生時点を説明するための時間グラフである。
【図１０ｃ】本発明の実施形態によるロングタッチ、圧力タッチ、及び認証タッチの多様な発生時点を説明するための時間グラフである。
【図１１】本発明の実施形態によるロングタッチ、圧力タッチ、及び認証タッチの他の判別方法に対するフローチャートである。
【図１２ａ】本発明の実施形態によるタッチ入力装置において圧力タッチの判別基準を調節する方法を例示する。
【図１２ｂ】本発明の実施形態によるタッチ入力装置において圧力タッチの判別基準を調節する方法を例示する。
【図１３ａ】本発明の実施形態によるタッチ入力装置において認証タッチの所定基準を設定する方法を例示する。
【図１３ｂ】本発明の実施形態によるタッチ入力装置において認証タッチの所定基準を設定する方法を例示する。
【発明を実施するための形態】
【００１５】
後述する本発明に対する詳細な説明は、本発明を実施することができる特定の実施形態を例示として図示する添付の図面を参照する。これらの実施形態は、当業者が本発明を実施するのに十分なように詳細に説明される。本発明の多様な実施形態は互いに異なるが、相互に排他的である必要はないことが理解されなければならない。例えば、ここに記載されている特定の形状、構造及び特性は、一実施形態に関連して本発明の精神及び範囲を外れないながらも、他の実施形態で具現されてもよい。また、それぞれの開示された実施形態内の個別の構成要素の位置又は配置は、本発明の精神及び範囲を外れないながらも、変更されてもよいことが理解されなければならない。図面において類似の参照符号は様々な側面にわたって同一もしくは類似の機能を指し示す。
【００１６】
以下、添付される図面を参照して本発明の実施形態によるタッチスクリーン１３０を含むタッチ入力装置１００を説明する。
【００１７】
図１は、本発明の実施形態によるタッチ入力装置１００の構造図である。本発明の実施形態によるタッチ入力装置１００は、タッチコントローラ１１０、タッチスクリーン１３０、プロセッサ１４０及びユーザ認証コントローラ１５０を含んでもよい。
【００１８】
タッチスクリーン１３０に対するタッチを介してタッチ入力装置１００に対する入力（input）が遂行され得る。本発明の実施形態によるタッチ入力装置１００は、ノートブック（notebook）コンピュータ、ＰＤＡ（Personal Digital Assistant）、及びスマートフォン（smart phone）のような携帯用電子装置であってもよい。また、本発明の実施形態によるタッチ入力装置１００は、デスクトップ（desktop）コンピュータ、スマートテレビ（smart television）のような非移動式電子装置であってもよい。
【００１９】
本発明の実施形態によるタッチスクリーン１３０は、ユーザが指のような客体でスクリーンを接触（タッチ）することにより、ユーザがコンピューティングシステムを操作できるようにする。一般的に、タッチスクリーン１３０には、タッチ入力をセンシングできるセンサが配置され、コンピューティングシステムはこのようなタッチを解釈することにより、これに従って演算を遂行することができる。
【００２０】
本発明の実施形態によるタッチコントローラ１１０は、タッチスクリーン１３０に対するタッチ時に、タッチスクリーン１３０に対するタッチの有無及びタッチ位置を検出することができる。また、タッチコントローラ１１０は、タッチスクリーン１３０に対するタッチ時に、タッチにより発生する電気的特性を測定することができる。以下で電気的特性は、静電容量又は抵抗であり得る。
【００２１】
図２ａ及び図２ｂは、タッチによる電気的特性の変化量を説明するための図面である。具体的に、タッチコントローラ１１０は、タッチ入力装置１００に配置されるタッチセンサを介してタッチスクリーン１３０に対する客体５０の近接によって変わる電気的特性を測定し、測定された電気的特性の変化量からタッチ位置を算出することができる。例えば、図２ａに示されたように、タッチスクリーン１３０に対する客体５０の近接による電気的特性の変化量のうち、最も大きい変化量が示された位置、すなわち図２ａにおいて５０の位置をタッチ位置として算出することができる。
【００２２】
また、タッチコントローラ１１０は、タッチスクリーン１３０に対する客体５０の近接によって変わる電気的特性の変化量を測定し、測定された電気的特性の変化量からタッチ面積を算出することができる。例えば、電気的特性の変化量の大きさが２０以上である時にタッチされたと認識するものと仮定し、図２ａに示されたように、タッチスクリーン１３０にタッチされる客体５０の面積がａの場合、電気的特性の変化量の大きさが２０以上であるセルの個数であるタッチ面積は１であり得る。また、図２ｂに示されたように、タッチスクリーン１３０にタッチされる客体５０の面積がaからｂ（ｂ＞ａ）に大きくなる場合、タッチ面積は９であり得る。
【００２３】
以上で詳しく見てみたように、タッチコントローラ１１０は、タッチセンサを介して検出された電気的特性の変化量に基づいて、タッチがあったか否か、タッチ位置及び／又はタッチ面積を算出することができる。
【００２４】
タッチコントローラ１１０は、前記測定された電気的特性の変化量から算出されたタッチ位置をプロセッサ１４０に伝送することができる。また、タッチコントローラ１１０は、前記測定された電気的特性の変化量から算出されたタッチ面積もまたプロセッサ１４０に伝送することもできる。また、タッチコントローラ１１０は、前記測定された電気的特性の変化量をプロセッサ１４０に伝送することもできる。
【００２５】
前記においては、タッチ面積をタッチコントローラ１１０が計算してプロセッサ１４０に伝送することについて説明したが、プロセッサ１４０がタッチ面積を算出することもできる。例えば、プロセッサ１４０はタッチコントローラ１１０から伝達された電気的特性の変化量を用いてタッチ面積を算出することができる。具体的に、プロセッサ１４０はタッチコントローラ１１０から図２ａ及び／又は図２ｂに示された電気的特性の変化量の情報から、前記でタッチコントローラ１１０がタッチ面積を計算した方法と同一の方法を適用してタッチ面積を算出することができる。
【００２６】
この時、プロセッサ１４０は、タッチコントローラ１１０から伝送されたタッチ位置、タッチ面積及び／又は電気的特性の変化量を用いてタッチ時間を計算することができる。発明の実施形態により、プロセッサ１４０は応用プロセッサ（application processor）であってもよい。応用プロセッサは、携帯用電子装置において命令解釈、演算、及び制御などの機能を遂行することができる処理装置である。
【００２７】
具体的に、プロセッサ１４０は、電気的特性の変化量が所定値以上に維持される時間を測定することによって、客体５０がタッチスクリーン１３０にタッチされた時間を計算することができる。電気的特性の変化量が所定値未満の場合には、一般的に、タッチ入力装置１００において誤差範囲として有効なタッチとして認識されないことがある。
【００２８】
図３ａ及び図３ｂは、タッチ時間を説明するための図面である。図３ａでは、電気的特性が静電容量である場合を例に挙げて説明する。例えば、図３ａには、静電容量の変化量が所定値以上に維持される有効なタッチ時間が８ｔ（１ｔ〜９ｔ）であるものが示されている。すなわち、プロセッサ１４０は、タッチが入力された後、解除される時までに要された時間が８ｔであることを計算することができる。この時、図３ａで有効なタッチはホバーリングを含んでもよい。
【００２９】
前記では、プロセッサ１４０がタッチコントローラ１１０から伝送されたタッチ位置、タッチ面積及び／又は電気的特性の変化量を用いてタッチ時間を計算することについて説明したが、タッチコントローラ１１０がタッチ認識開始時点及びタッチ認識完了時点をプロセッサ１４０に伝送することができる。例えば、図３ａに示された静電容量の変化量が所定値以上に上がる時点である１ｔの時点にタッチコントローラ１１０がプロセッサ１４０にタッチ開始スタンプを伝送し、静電容量の変化量が所定値以下に下がる時点である９ｔの時点にタッチコントローラ１１０がプロセッサ１４０にタッチ完了スタンプを伝送することができ、プロセッサ１４０はタッチ開始スタンプの伝送時点とタッチ完了スタンプの伝送時点との差を算出してタッチ時間を算出することもできる。
【００３０】
また、プロセッサ１４０は、タッチスクリーン１３０に入力されたタッチが所定条件を満たすことを維持する時間を計算することができる。例えば、所定条件が、タッチ面積が所定の基準面積以上の条件である場合、図３ｂに示されたように、プロセッサ１４０はタッチ面積が所定面積以上の時間区間だけを測定することによって、タッチスクリーン１３０に入力されたタッチが所定条件を満たすことを維持する時間を計算することができる。例えば、図３ｂにおいて、タッチが所定条件を満たす時間は、２ｔ（２ｔ〜４ｔ）であることが分かる。
【００３１】
図４ａ〜図４ｃは、本発明の実施形態によるタッチ入力装置において各種センサが配置される形態を説明するための図面である。
【００３２】
本発明の実施形態によるユーザ認証コントローラ１５０は、タッチスクリーン１３０に入力されたタッチが認証されたユーザによるタッチなのか否かを判断することができる。具体的に、ユーザ認証コントローラ１５０は、タッチ入力装置１００に配置されるユーザ認証センサ４０を介して収集された情報を既に格納されたユーザ認証情報と比較して、入力されたタッチが認証されたユーザによるタッチなのかを判断することができる。この時、ユーザ認証センサは、指紋認識センサであってもよい。具体的に、図４ａ及び図４ｂに示されたように、タッチセンサ３０がタッチスクリーン１３０の全体領域に配置され、ユーザ認証センサ４０はタッチスクリーン１３０の所定領域にだけ配置されてもよい。
【００３３】
本発明の実施形態によるタッチ入力装置１００は、圧力コントローラ（図示せず）をさらに含んでもよい。具体的に、圧力コントローラは、タッチ入力装置１００に配置される圧力センサを介して客体５０がタッチスクリーン１３０に印加した圧力によって変わる電気的特性を測定し、測定された電気的特性の変化量からタッチ圧力の大きさを算出することができる。この時、タッチ圧力の大きさによって前記電気的特性の変化量が変わり得る。ここで、タッチ圧力が小さいほど電気的特性の変化量が小さいこともあり、タッチ圧力が大きいほど電気的特性の変化量が大きいこともある。圧力コントローラは、前記測定された電気的特性の変化量から算出されたタッチ圧力の大きさをプロセッサ１４０に伝送することができる。
【００３４】
前記では、タッチコントローラ１１０と別途に構成された圧力コントローラにおいて圧力の大きさを検出することについて説明したが、タッチコントローラ１１０においてタッチ位置及びタッチ圧力の大きさを全て検出することもできる。また、一つのコントローラが、タッチ位置検出、タッチ圧力の大きさ検出、及びユーザ認証を全て遂行することもできる。
【００３５】
この時、図４ｂ及び図４ｃに示されたように、タッチ入力装置１００において画面がディスプレされる領域が、タッチ入力装置１００の上面の全体領域に全て画面がディスプレされてもよい。この場合、タッチスクリーン１３０もまたタッチ入力装置１００の上面の全体領域に配置されることになる。図４ａ〜図４ｃに示されたように、タッチ入力装置１００に含まれたタッチセンサ、圧力センサ、及びユーザ認証センサがそれぞれ独立した領域にだけ配置されるのではなく、互いにオーバーラップされて配置されてもよい。この時、ユーザ認証センサ４０は、タッチセンサ３０と同一のセンサであってもよく、別途のセンサであってもよい。具体的に、図４ｃに示されたように、同一のセンサ３０でユーザ認証も遂行し、タッチ位置も検出することができる。この時、タッチ位置を検出することと比較すると、指紋認識をするためには相対的に非常に狭い領域に対する情報が必要であるため、タッチ位置検出時のセンサの解像度よりもユーザ認証時のセンサの解像度が高くなければならない。したがって、図４ｃに示されたように、ユーザ認証時には第１センサ３１及び第２センサ３２を全て活性化させて高い解像度の情報を検出し、タッチ位置検出時には第１センサ３１のセンサのみを活性化させて低い解像度の情報を検出することができる。タッチ位置検出時に第２センサ３２を活性化させないのは、不必要な電力消耗を減らすためである。さらに、タッチ位置情報を活用し、ユーザ認証時にはタッチ位置周辺の所定領域を感知するのに使用され得る第２センサ３２のみを活性化させ、タッチ位置周辺の所定領域を感知するのに使用されない第２センサ３２は活性化させないこともできる。図４ｃのように構成すれば、タッチ入力装置のタッチスクリーン１３０の全体領域において、タッチ位置検出及びユーザ認証が可能である。
【００３６】
同様に、タッチセンサと別途に構成された圧力センサを介して圧力の大きさを検出することについて説明したが、タッチセンサを介してタッチ位置及びタッチ圧力の大きさを全て検出することもできる。総合すれば、タッチセンサを介してタッチ位置及びタッチ圧力の大きさを検出するだけでなく、ユーザ認証もまた遂行することもできる。
【００３７】
また、前記では、ユーザ認証コントローラ１５０がタッチコントローラ１１０と別途の構成であると説明されたが、図４ｃに示されたように、同一のセンサ３０を用いてユーザ認証も遂行し、タッチ位置も検出する場合、一つのコントローラがタッチ位置検出及びユーザ認証を全て遂行することもできる。
【００３８】
この時、上のように、同一の位置でタッチ位置及びタッチ圧力が検出されてユーザ認証もまた実行されなければならない場合、タッチスクリーン１３０に入力されたタッチの位置のみではプロセッサ１４０がどのような動作を遂行しなければならないのかを決定することができないので、プロセッサ１４０がどんな動作を遂行するのかを決定できる基準が必要である。
【００３９】
本明細書において、タッチ入力装置１００に対する基本的なタッチ入力は、タップタッチ（tap touch）と指称することができる。タップタッチがタッチ入力装置１００に入力される場合、タップタッチによる設定動作が実行され得る。
【００４０】
タップタッチに比べて相対的に長い所定時間、すなわちロングタッチ判断基準時間以上を有するタッチがロングタッチ（long touch）と指称することができ、ロングタッチがタッチ入力装置１００に入力される場合にロングタッチによる設定動作が実行され得る。この時、ロングタッチの時間の長さに応じて多様な動作が設定され得ることは自明である。
【００４１】
また、入力されたタッチが認証条件を満足する場合、認証タッチ（authentication touch）と指称することができ、認証タッチがタッチ入力装置１００に入力される場合に、ユーザ認証動作が実行され得る。この時、認証条件は、所定条件を満たす時間が所定の基準時間ΔＴ以上である条件であってもよい。具体的に、所定条件は、タッチ面積が所定の基準面積Ａ１以上である条件であってもよい。また、所定条件は、タッチから所定の基準パターンが認識される条件であってもよい。
【００４２】
また、タップタッチに比べて相対的に大きい圧力、すなわち所定の基準圧力Ｆ１以上の圧力を有するタッチが圧力タッチ（force touch）と指称することができ、圧力タッチがタッチ入力装置１００に入力される場合に、圧力タッチによる設定動作が実行され得る。この時、圧力タッチの大きさレベルに応じて多様な動作が設定され得ることは自明である。
【００４３】
この時、タップタッチと認証タッチの判断基準とタップタッチとロングタッチの判断基準によって認証タッチとロングタッチを判断する時、オーバーラップされる部分が発生し得る。同様に、タップタッチと認証タッチの判断基準とタップタッチと圧力タッチの判断基準によって認証タッチと圧力タッチを判断する時、オーバーラップされる部分が発生し得る。例えば、入力されたタッチが所定条件を満たす時間が所定の基準時間ΔＴ以上の場合、認証タッチと認識され得ながらも該当タッチが所定時間よりも長い時間タッチされる場合、ロングタッチにも認識されることがある。また、入力されたタッチが所定条件を満たす時間が所定の基準時間ΔＴ以上の場合、認証タッチと認識され得ながらも該当タッチが所定の基準圧力Ｆ１以上の圧力である場合、圧力タッチにも認識されることがある。
【００４４】
したがって、このような問題点を解消するために、本発明の実施形態では、認証タッチとロングタッチ及び／又は認証タッチと圧力タッチを明確に区別できる方法、アルゴリズム及び装置を提示する。
【００４５】
図５は、本発明の実施形態によるロングタッチと認証タッチの判別方法によって区別されるタッチの種類を示すグラフである。図５において、認証タッチはａ、タップタッチはｂ、ロングタッチはｃで例示されている。以下では、認証条件に含まれた所定条件が、タッチ面積が所定の基準面積Ａ１以上である条件の場合について説明する。タッチ面積が所定の基準面積Ａ１以上である条件を満たせば認証モードに進入し、認証モードに進入した時点ＴＳから該当条件を維持する時間が所定の基準時間ΔＴ以上である場合、入力されたタッチが認証条件を満たして認証タッチａと設定され得る。また、タッチ面積が所定の基準面積Ａ１以上である条件を満たさずに認証モードに進入しなかったり、又はタッチ面積が所定の基準面積Ａ１以上の条件を満たして認証モードに進入しても、認証モードに進入した時点ＴＳから該当条件を維持する時間が所定の基準時間ΔＴ以下であり、タッチ解除時点ＴＲがロングタッチ判断基準時点ＴＬ以前である場合、入力されたタッチがタップタッチｂと設定され得る。また、タッチ面積が所定の基準面積Ａ１以上である条件を満たさずに認証モードに進入しなかったり、又はタッチ面積が所定の基準面積Ａ１以上である条件を満たして認証モードに進入しても、認証モードに進入した時点ＴＳから該当条件を維持する時間が所定の基準時間ΔＴ以下であり、ロングタッチ判断基準時点ＴＬまで入力されたタッチが解除されなかった場合、入力されたタッチがロングタッチｃと設定され得る。
【００４６】
整理すると、本発明の実施形態によるタッチスクリーンを含むタッチ入力装置におけるタッチの種類の判別方法は、タッチスクリーンに対するタッチが所定条件を満たすのか否かを判断する段階及び該当タッチが所定条件を満たすのか否か及び該当タッチが維持される時間によって前記タッチの種類を判断するタッチの種類の判断段階を含んでもよい。具体的に、タッチが所定条件を満たす場合、入力されたタッチを認証タッチと判断することができ、ロングタッチ判断基準時点ＴＬ以前に入力されたタッチが解除される場合、入力されたタッチをタップタッチと判断することができ、ロングタッチ判断基準時点ＴＬまで入力されたタッチが解除されなかった場合、入力されたタッチをロングタッチと判断することができる。
【００４７】
また、本発明の実施形態によるタッチスクリーンを含むタッチ入力装置におけるタッチの種類の判別方法は、タッチスクリーンに対するタッチが所定条件を満たすのか否かを判断する段階及び該当タッチが所定条件を満たすのか否か、タッチが維持される時間及び該当タッチによって印加された圧力に応じて前記タッチの種類を判断するタッチの種類の判断段階を含んでもよい。具体的に、タッチが所定条件を満たす場合、入力されたタッチを認証タッチと判断することができ、該当タッチによって印加された圧力が所定の基準圧力以上である場合、圧力タッチと判断することができ、ロングタッチ判断基準時点ＴＬ以前に入力されたタッチが解除される場合、入力されたタッチをタップタッチと判断することができ、ロングタッチ判断基準時点ＴＬまで入力されたタッチが解除されなかった場合、入力されたタッチをロングタッチと判断することができる。
【００４８】
図６は、本発明の実施形態によるロングタッチと認証タッチの判別方法に対するフローチャートを例示し、図７ａ〜図７ｄは、本発明の実施形態によるロングタッチと認証タッチの多様な発生時点を説明するための時間グラフである。本発明の実施形態によるロングタッチと認証タッチの判別方法はプロセッサ１４０を介して遂行されてもよく、実施形態によりタッチコントローラ１１０等の他の構成で実施されても構わない。
【００４９】
まず、プロセッサ１４０はタッチコントローラ１１０から伝達される電気的特性の変化量及び／又はタッチ情報からタッチスクリーン１３０に対するタッチがあったのかを判断するタッチ認識段階（Ｓ１００）を遂行する。ここで、タッチ情報は、タッチの有無、タッチ位置及び／又はタッチ圧力を含んでもよい。この時、タッチがないと判断されれば、いかなる動作も実行されず（Ｓ１１０）、再びタッチ認識段階（Ｓ１００）に戻ることができる。
【００５０】
タッチ認識段階（Ｓ１００）でタッチがあると判断される場合には、プロセッサ１４０は、該当タッチが認証モード進入条件を満たすのかを判断する認証モード進入判断段階（Ｓ１２０）を遂行する。具体的に、入力されたタッチが所定条件を満たせば、該当タッチが認証モード進入条件を満たすものと判断する。入力されたタッチが認証モード進入条件を満たすものと判断されれば、プロセッサ１４０は、ユーザ認証コントローラ１５０に認証開始信号を伝送し、ユーザ認証コントローラ１５０は、ユーザ認証情報の収集及び判断を開始する。
【００５１】
認証モード進入判断段階（Ｓ１２０）において該当タッチが認証モード進入条件を満たすものと判断されれば、プロセッサ１４０は、該当タッチが認証モード完了条件を満たすのかを判断する認証タッチ判断段階（Ｓ１３０）を遂行する。具体的に、入力されたタッチが所定条件を満たし始めた時点、すなわち認証モード進入時点ＴＳから所定条件を満たすことを維持する時間が所定の基準時間ΔＴ以上であれば該当タッチが認証モード完了条件を満たすものと判断する。
【００５２】
この時、該当タッチが所定条件を満たすことを維持する時間が所定基準時間以上なのか否かによって、前記タッチの種類を判断するタッチの種類の判断段階が実行され得る。タッチの種類の判断段階は、具体的に次のような段階を含んでもよい。
【００５３】
入力されたタッチが認証モード完了条件を満たすと判断されれば、該当タッチは認証タッチと判断され得る。この時、プロセッサ１４０は、ユーザ認証コントローラ１５０に認証結果情報の要請信号を伝送し、ユーザ認証コントローラ１５０は、収集されたユーザ認証情報を用いて判断したユーザ認証の結果に対する情報を含む信号をプロセッサ１４０に伝送する。または、プロセッサ１４０がユーザ認証コントローラ１５０に認証結果情報の要請信号を伝送することなく、ユーザ認証コントローラ１５０が収集されたユーザ認証情報を用いて判断したユーザ認証の結果に対する情報を含む信号をプロセッサ１４０に伝送することもできる。プロセッサ１４０は、ユーザ認証の結果に応じて、割り当てられた動作を実行する認証動作段階（Ｓ１４０）を遂行することができる。例えば、ユーザ認証が成功した場合、ログイン動作が実行されてもよく、ユーザ認証が失敗した場合、ログイン失敗の案内動作が遂行されてもよい。
【００５４】
認証タッチ判断段階（Ｓ１３０）において該当タッチが認証モード完了条件を満たさないと判断されれば、再び認証モード進入判断段階（Ｓ１２０）に戻ってもよい。この時、プロセッサ１４０は、ユーザ認証コントローラ１５０に認証中断信号を伝送し、ユーザ認証コントローラ１５０は、ユーザ認証情報の収集及び判断を中断することができる。
【００５５】
認証モード進入判断段階（Ｓ１２０）において該当タッチが認証モード進入条件を満たさないと判断されれば、プロセッサ１４０は、該当タッチがタップタッチの条件を満たすのかを判断するタップタッチ判断段階（Ｓ１５０）を遂行する。具体的に、該当タッチがロングタッチ判断基準時点ＴＬ以前に解除されれば、該当タッチがタップタッチの条件を満たすと判断する。入力されたタッチがタップタッチの条件を満たすと判断されれば、該当タッチはタップタッチと判断され得る。この時、プロセッサ１４０は、タップタッチに割り当てられた動作を実行するタップタッチ動作段階（Ｓ１６０）を遂行することができる。
【００５６】
タップタッチ判断段階（Ｓ１５０）において該当タッチがタップタッチの条件を満たさないと判断されれば、プロセッサ１４０は、該当タッチがロングタッチの条件を満たすのかを判断するロングタッチ判断段階（Ｓ１７０）を遂行する。具体的に、該当タッチが維持された時間がロングタッチ判断基準時点ＴＬを経過すれば、該当タッチがロングタッチ条件を満たすと判断する。入力されたタッチがロングタッチ条件を満たすと判断されれば、該当タッチはロングタッチと判断され得る。この時、プロセッサ１４０は、ロングタッチに割り当てられた動作を実行するロングタッチ動作段階（Ｓ１８０）を遂行することができる。
【００５７】
ロングタッチ判断段階（Ｓ１７０）において該当タッチがロングタッチ条件を満たさないと判断されれば、再び認証モード進入判断段階（Ｓ１２０）に戻ることができる。
【００５８】
図６に説明された判別方法によれば、図７ａのように、ロングタッチ判断基準時点ＴＬ以前に認証モード完了条件が満たされる場合、該当タッチは認証タッチと判断され得る。また、入力されたタッチがロングタッチ判断基準時点ＴＬ以前に所定条件を満たし始めて、入力されたタッチが所定条件を満たすことを維持する時間が所定基準時間以上である場合、該当タッチは認証タッチと判断され得る。具体的に、図７ｂのように、入力されたタッチが所定条件を満たし始めた時点である認証モード進入時点ＴＳから所定条件を満たすことを維持する時間である所定の基準時間ΔＴが流れる以前にロングタッチ判断基準時点ＴＬが経過しても、すなわち、認証モード完了条件が満たされる前にロングタッチ判断基準時点ＴＬが経過しても、認証モード進入ＴＳがロングタッチ判断基準時点ＴＬ以前である場合、継続して認証モード完了条件を満たすのかを判断し、もし認証モード完了条件を満たせば、該当タッチは認証タッチと判断され得る。また、図７ｃのように、入力されたタッチが所定条件を満たし始めた時点である認証モード進入時点ＴＳから所定条件を満たすことが終わる時点ＴＣまでの時間、すなわち、所定条件を満たすことを維持する時間が所定の基準時間ΔＴより小さい場合、該当タッチは認証タッチと判断されず、その後ロングタッチ判断基準時点ＴＬが経過すれば、該当タッチはロングタッチと判断され得る。すなわち、該当タッチが認証タッチと判断されず、該当タッチがロングタッチ判断基準時点ＴＬまで維持される場合、該当タッチはロングタッチと判断され得る。また、図７ｄのように、入力されたタッチが認証タッチと判断されず、その後ロングタッチ判断基準時点ＴＬ以前にタッチ解除時点ＴＲが発生すれば、該当タッチはタップタッチと判断され得る。すなわち、該当タッチが認証タッチと判断されず、該当タッチがロングタッチ判断基準時点ＴＬ以前に解除される場合、該当タッチはタップタッチと判断され得る。
【００５９】
図８は、本発明の実施形態によるロングタッチと認証タッチの他の判別方法に対するフローチャートを例示する。
【００６０】
まず、プロセッサ１４０は、タッチコントローラ１１０から伝達される電気的特性の変化量及び／又はタッチ情報からタッチスクリーン１３０に対するタッチがあったのかを判断するタッチ認識段階（Ｓ２００）を遂行する。ここで、タッチ情報は、タッチの有無、タッチ位置及び／又はタッチ圧力を含んでもよい。この時、タッチがないと判断されれば、いかなる動作も実行されず（Ｓ２１０）、再びタッチ認識段階（Ｓ２００）に戻ることができる。
【００６１】
タッチ認識段階（Ｓ２００）においてタッチがあると判断される場合には、プロセッサ１４０は、該当タッチが認証モード進入条件を満たすのかを判断する認証モード進入判断段階（Ｓ２２０）を遂行する。具体的に、入力されたタッチが所定条件を満たせば、該当タッチが認証モード進入条件を満たすと判断する。入力されたタッチが認証モード進入条件を満たすと判断されれば、プロセッサ１４０は、ユーザ認証コントローラ１５０に認証開始信号を伝送し、ユーザ認証コントローラ１５０は、ユーザ認証情報の収集及び判断を開始する。
【００６２】
認証モード進入判断段階（Ｓ２２０）おいて該当タッチが認証モード進入条件を満たすと判断されれば、プロセッサ１４０は、該当タッチが認証モード完了条件を満たすのかを判断する認証タッチ判断段階（Ｓ２３０）を遂行する。具体的に入力されたタッチが所定条件を満たし始めた時点、すなわち、認証モード進入時点ＴＳから所定条件を満たすことを維持する時間が所定の基準時間ΔＴ以上であり、入力されたタッチが所定条件を満たしたまま所定の基準時間ΔＴが流れた時点ＴＳ＋ΔＴがロングタッチ判断基準時点ＴＬ以前であれば、該当タッチが認証モード完了条件を満たすと判断する。入力されたタッチが認証モード完了条件を満たすと判断されれば、該当タッチは認証タッチと判断され得る。この時、プロセッサ１４０は、ユーザ認証コントローラ１５０に認証結果情報の要請信号を伝送し、ユーザ認証コントローラ１５０は、収集されたユーザ認証情報を用いて判断したユーザ認証の結果に対する情報を含む信号をプロセッサ１４０に伝送する。または、プロセッサ１４０がユーザ認証コントローラ１５０に認証結果情報の要請信号を伝送することなく、ユーザ認証コントローラ１５０が収集されたユーザ認証情報を用いて判断したユーザ認証の結果に対する情報を含む信号をプロセッサ１４０に伝送することもできる。プロセッサ１４０は、ユーザ認証の結果に応じて、割り当てられた動作を実行する認証動作段階（Ｓ２４０）を遂行することができる。例えば、ユーザ認証が成功した場合、ログイン動作が遂行されてもよく、ユーザ認証が失敗した場合、ログイン失敗の案内動作が遂行されてもよい。
【００６３】
認証タッチ判断段階（Ｓ２３０）において該当タッチが認証モード完了条件を満たさないと判断されれば、再び認証モード進入判断段階（Ｓ２２０）に戻ることができる。この時、プロセッサ１４０は、ユーザ認証コントローラ１５０に認証中断信号を伝送し、ユーザ認証コントローラ１５０は、ユーザ認証情報の収集及び判断を中断することができる。
【００６４】
認証モード進入判断段階（Ｓ２２０）において該当タッチが認証モード進入条件を満たさないと判断されれば、プロセッサ１４０は、該当タッチがタップタッチの条件を満たすのかを判断するタップタッチ判断段階（Ｓ２５０）を遂行する。具体的に、該当タッチがロングタッチ判断基準時点ＴＬ以前に解除されれば、該当タッチがタップタッチ条件を満たすと判断する。入力されたタッチがタップタッチ条件を満たすと判断されれば、該当タッチはタップタッチと判断され得る。この時、プロセッサ１４０は、タップタッチに割り当てられた動作を実行するタップタッチ動作段階（Ｓ２６０）を遂行することができる。
【００６５】
タップタッチ判断段階（Ｓ２５０）において該当タッチがタップタッチの条件を満たさないと判断されれば、プロセッサ１４０は、該当タッチがロングタッチの条件を満たすのかを判断するロングタッチ判断段階（Ｓ２７０）を遂行する。具体的に、該当タッチが維持された時間がロングタッチ判断基準時点ＴＬを経過すれば、該当タッチがロングタッチ条件を満たすと判断する。入力されたタッチがロングタッチの条件を満たすと判断されれば、該当タッチはロングタッチと判断され得る。この時、プロセッサ１４０は、ロングタッチに割り当てられた動作を実行するロングタッチ動作段階（Ｓ２８０）を遂行することができる。
【００６６】
ロングタッチ判断段階（Ｓ２７０）において該当タッチがロングタッチの条件を満たさないと判断されれば、再び認証モード進入判断段階（Ｓ２２０）に戻ることができる。
【００６７】
図８に説明された判別方法によれば、入力されたタッチが所定条件を満たすことを維持する時間が、所定基準時間以上である条件がロングタッチ判断基準時点以前に満たされる場合、該当タッチは認証タッチと判断され得る。具体的に、図７ａのように、ロングタッチ判断基準時点ＴＬ以前に認証モード完了条件が満たされる場合、該当タッチは認証タッチと判断され得る。この時、図７ｂのように、入力されたタッチが所定条件を満たし始めた時点である認証モード進入時点ＴＳから所定条件を満たすことを維持する時間が、所定の基準時間ΔＴが流れる以前にロングタッチ判断基準時点ＴＬが経過する場合、すなわち、認証モード完了条件が満たされる前にロングタッチ判断基準時点ＴＬが経過する場合、該当タッチはロングタッチと判断され得る。
【００６８】
タッチ入力装置１００において、ユーザ認証の結果によって割り当てられた動作はＴＳ＋ΔＴ時点に、ロングタッチに割り当てられた動作はＴＬ時点に、タップタッチに割り当てられた動作はＴＲ時点に直ちに実行されるので、それぞれの条件が満たされた後に他の条件が満たされるか否かは確認されないが、前記では、それぞれのタッチの種類に対する優先順位を説明するために、それぞれの条件が満たされた後に他の条件が満たされる時点も表記して説明した。
【００６９】
図６に説明された判別方法と図８に説明された判別方法とを比較すると、それぞれのタッチの種類に対する優先順位に差がある。具体的に、ロングタッチとタップタッチとは異なり、認証タッチの場合、認証モード進入後に認証モード完了の条件を満たすのかを判断する時間区間ΔＴが存在する。したがって、該当時間区間ΔＴ内にロングタッチ判断基準時点ＴＬが存在する場合、どんな種類のタッチを先に判別するのかを決める必要がある。図６では、認証タッチ判別の優先順位がロングタッチ判別の優先順位よりも高く、図８では、ロングタッチ判別の優先順位が認証タッチ判別の優先順位よりも高い。
【００７０】
図６及び図８のフローチャートでは、認証タッチ、タップタッチ、ロングタッチの順に入力されたタッチの種類を判別すると説明したが、その順序を変えてタッチの種類を判別することも可能である。具体的に、図６の場合、入力されたタッチがロングタッチ判断基準時点以前に所定条件を満たし始めて、該当タッチが所定条件を満たすことを維持する時間が所定基準時間以上の条件を満たすイベント、タッチが解除されるイベント、及びタッチ維持時間がロングタッチ判断基準時点を経過するイベントのうち最も早く起きるイベントに対応する種類で、入力されたタッチの種類を判断する。図８の場合、入力されたタッチが所定条件を満たすことを維持する時間が所定基準時間以上である条件を満たすイベント、タッチが解除されるイベント、及びタッチ維持時間がロングタッチ判断基準時点を経過するイベントのうち最も早く起きるイベントに対応する種類で、入力されたタッチの種類を判断する。
【００７１】
図９は、本発明の実施形態によるロングタッチ、圧力タッチ、及び認証タッチの判別方法に対するフローチャートを例示し、図１０ａ〜図１０ｃは、本発明の実施形態によるロングタッチ、圧力タッチ、及び認証タッチの多様な発生時点を説明するための時間グラフである。本発明の実施形態によるロングタッチ、圧力タッチ、及び認証タッチ判別方法は、プロセッサ１４０を介して遂行されてもよく、実施形態により、タッチコントローラ１１０等の他の構成で実施されても構わない。
【００７２】
まず、プロセッサ１４０は、タッチコントローラ１１０から伝達される電気的特性の変化量及び／又はタッチ情報からタッチスクリーン１３０に対するタッチがあったのかを判断するタッチ認識段階（Ｓ３００）を遂行する。ここで、タッチ情報はタッチの有無、タッチ位置及び／又はタッチ圧力を含んでもよい。この時、タッチがないと判断されれば、いかなる動作も実行されず（Ｓ３１０）、再びタッチ認識段階（Ｓ３００）に戻ることができる。
【００７３】
タッチ認識段階（Ｓ３００）においてタッチがあると判断される場合には、プロセッサ１４０は、該当タッチが認証モード進入条件を満たすのかを判断する認証モード進入判断段階（Ｓ３２０）を遂行する。具体的に、入力されたタッチが所定条件を満たせば、該当タッチが認証モード進入条件を満たすと判断する。入力されたタッチが認証モード進入条件を満たすと判断されれば、プロセッサ１４０は、ユーザ認証コントローラ１５０に認証開始信号を伝送し、ユーザ認証コントローラ１５０は、ユーザ認証情報の収集及び判断を開始する。
【００７４】
認証モード進入判断段階（Ｓ３２０）において該当タッチが認証モード進入条件を満たすと判断されれば、プロセッサ１４０は、該当タッチが圧力タッチ条件を満たすのかを判断する圧力タッチ継続判断段階（Ｓ３３０）を遂行する。具体的に、認証モード進入後に所定の基準時間ΔＴ以内に入力されたタッチによって印加された圧力が所定の基準圧力Ｆ１以上になれば、該当タッチが圧力タッチ条件を満たすと判断する。
【００７５】
圧力タッチ継続判断段階（Ｓ３３０）において該当タッチが圧力タッチ条件を満たさないと判断されれば、プロセッサ１４０は、該当タッチが認証モード完了条件を満たすのかを判断する認証タッチ判断段階（Ｓ３４０）を遂行する。具体的に、入力されたタッチが所定条件を満たし始めた時点、すなわち認証モード進入時点ＴＳから所定条件を満たすことを維持する時間が、所定の基準時間ΔＴ以上であれば、該当タッチが認証モード完了条件を満たすと判断する。
【００７６】
この時、該当タッチが所定条件を満たすことを維持する時間が、所定基準時間以上なのか否かにより、前記タッチの種類を判断するタッチの種類の判断段階が実行され得る。タッチの種類の判断段階は、具体的に次のような段階を含んでもよい。
【００７７】
入力されたタッチが認証モード完了条件を満たすと判断されれば、該当タッチは認証タッチと判断され得る。この時、プロセッサ１４０は、ユーザ認証コントローラ１５０に認証結果情報の要請信号を伝送し、ユーザ認証コントローラ１５０は、収集されたユーザ認証情報を用いて判断したユーザ認証の結果に対する情報を含む信号をプロセッサ１４０に伝送する。または、プロセッサ１４０が、ユーザ認証コントローラ１５０に認証結果情報の要請信号を伝送することなく、ユーザ認証コントローラ１５０が収集されたユーザ認証情報を用いて判断したユーザ認証の結果に対する情報を含む信号をプロセッサ１４０に伝送することもできる。プロセッサ１４０は、ユーザ認証の結果によって割り当てられた動作を実行する認証動作段階（Ｓ３５０）を遂行することができる。例えば、ユーザ認証が成功した場合、ログイン動作が遂行されてもよく、ユーザ認証が失敗した場合、ログイン失敗案内動作が遂行されてもよい。
【００７８】
認証タッチ判断段階（Ｓ３４０）において該当タッチが認証モード完了条件を満たさないと判断されれば、再び認証モード進入判断段階（Ｓ３２０）に戻ることができる。この時、プロセッサ１４０は、ユーザ認証コントローラ１５０に認証中断信号を伝送し、ユーザ認証コントローラ１５０は、ユーザ認証情報の収集及び判断を中断することができる。
【００７９】
認証モード進入判断段階（Ｓ３２０）において該当タッチが認証モード進入条件を満たさないと判断されれば、プロセッサ１４０は、該当タッチが圧力タッチ条件を満たすのかを判断する圧力タッチ判断段階（Ｓ３６０）を遂行する。具体的に、入力されたタッチによって印加された圧力が所定の基準圧力（Ｆ１）以上になれば、該当タッチが圧力タッチ条件を満たすと判断する。入力されたタッチが圧力タッチ条件を満たすと判断されれば、該当タッチは圧力タッチと判断され得る。この時、プロセッサ１４０は、圧力タッチに割り当てられた動作を実行する圧力タッチ動作段階（Ｓ３７０）を遂行することができる。また、前記圧力タッチ継続判断段階（Ｓ３３０）において入力されたタッチが圧力タッチ条件を満たすと判断されれば、該当タッチは圧力タッチと判断され得る。同様に、プロセッサ１４０は、圧力タッチに割り当てられた動作を実行する圧力タッチ動作段階（Ｓ３７０）を遂行することができる。
【００８０】
圧力タッチ判断段階（Ｓ３６０）において該当タッチが圧力タッチ条件を満たさないと判断されれば、プロセッサ１４０は、該当タッチがタップタッチ条件を満たすのかを判断するタップタッチ判断段階（Ｓ３８０）を遂行する。具体的に、該当タッチがロングタッチ判断基準時点ＴＬ以前に解除されれば、該当タッチがタップタッチ条件を満たすと判断する。入力されたタッチがタップタッチ条件を満たすと判断されれば、該当タッチはタップタッチと判断され得る。この時、プロセッサ１４０は、タップタッチに割り当てられた動作を実行するタップタッチ動作段階（Ｓ３９０）を遂行することができる。
【００８１】
タップタッチ判断段階（Ｓ３８０）において該当タッチがタップタッチ条件を満たさないと判断されれば、プロセッサ１４０は、該当タッチがロングタッチ条件を満たすのかを判断するロングタッチ判断段階（Ｓ４００）を遂行する。具体的に、該当タッチが維持された時間がロングタッチ判断基準時点ＴＬを経過すれば、該当タッチがロングタッチ条件を満たすと判断する。入力されたタッチがロングタッチ条件を満たすと判断されれば、該当タッチはタップタッチと判断され得る。この時、プロセッサ１４０は、ロングタッチに割り当てられた動作を実行するロングタッチ動作段階（Ｓ４１０）を遂行することができる。
【００８２】
ロングタッチ判断段階（Ｓ４００）において該当タッチがロングタッチ条件を満たさないと判断されれば、再び認証モード進入判断段階（Ｓ３２０）に戻ることができる。
【００８３】
図９に説明された判別方法によれば、図１０ａのように、入力されたタッチが所定条件を満たし始めた時点である認証モード進入時点ＴＳ以前に所定の基準圧力Ｆ１以上の圧力が印加される場合、該当タッチは圧力タッチと判断され得る。この時、図１０ｂのように、入力されたタッチが所定条件を満たし始めた時点である認証モード進入時点ＴＳから所定条件を満たすことを維持する時間である所定の基準時間ΔＴが流れる以前に所定の基準圧力Ｆ１以上の圧力が印加される場合、該当タッチは圧力タッチと判断され得る。また、図１０ｃのように、入力されたタッチが所定条件を満たし始めた時点である認証モード進入時点ＴＳから所定条件を満たすことを維持する時間である所定の基準時間ΔＴが流れる間に所定の基準圧力Ｆ１以上の圧力が印加されない場合、該当タッチは認証タッチと判断され得る。すなわち、入力されたタッチが所定条件を満たすことを維持する時間が、所定基準時間以上である条件を満たす時まで該当タッチによって印加された圧力が所定の基準圧力以上にならない場合、該当タッチは認証タッチと判断され得る。
【００８４】
図１１は、本発明の実施形態によるロングタッチ、圧力タッチ、及び認証タッチの他の判別方法に対するフローチャートを例示する。
【００８５】
まず、プロセッサ１４０は、タッチコントローラ１１０から伝達される電気的特性の変化量及び／又はタッチ情報からタッチスクリーン１３０に対するタッチがあったか否かを判断するタッチ認識段階（Ｓ５００）を遂行する。ここで、タッチ情報は、タッチの有無、タッチ位置及び／又はタッチ圧力を含んでもよい。この時、タッチがないと判断されれば、いかなる動作も実行されず（Ｓ５１０）、再びタッチ認識段階（Ｓ５００）に戻ることができる。
【００８６】
タッチ認識段階（Ｓ５００）においてタッチがあると判断される場合には、プロセッサ１４０は、該当タッチが認証モード進入条件を満たすのかを判断する認証モード進入判断段階（Ｓ５２０）を遂行する。具体的に、入力されたタッチが所定条件を満たせば、該当タッチが認証モード進入条件を満たすと判断する。入力されたタッチが認証モード進入条件を満たすと判断されれば、プロセッサ１４０は、ユーザ認証コントローラ１５０に認証開始信号を伝送し、ユーザ認証コントローラ１５０は、ユーザ認証情報の収集及び判断を開始する。
【００８７】
認証モード進入判断段階（Ｓ５２０）において該当タッチが認証モード進入条件を満たすと判断されれば、プロセッサ１４０は、該当タッチが認証モード完了条件を満たすのかを判断する認証タッチ判断段階（Ｓ５３０）を遂行する。具体的に、入力されたタッチが所定条件を満たし始めた時点、すなわち、認証モード進入時点ＴＳから所定条件を満たすことを維持する時間が所定の基準時間ΔＴ以上であれば、該当タッチが認証モード完了条件を満たすと判断する。
【００８８】
この時、該当タッチが所定条件を満たすことを維持する時間が所定基準時間以上であるか否かによって、前記タッチの種類を判断するタッチの種類の判断段階が実行され得る。タッチの種類の判断段階は、具体的に次のような段階を含んでもよい。
【００８９】
入力されたタッチが認証モード完了条件を満たすと判断されれば、該当タッチは認証タッチと判断され得る。この時、プロセッサ１４０は、ユーザ認証コントローラ１５０に認証結果情報の要請信号を伝送し、ユーザ認証コントローラ１５０は、収集されたユーザ認証情報を用いて判断したユーザ認証の結果に対する情報を含む信号をプロセッサ１４０に伝送する。または、プロセッサ１４０が、ユーザ認証コントローラ１５０に認証結果情報信号を伝送することなく、ユーザ認証コントローラ１５０が収集されたユーザ認証情報を用いて判断したユーザ認証の結果に対する情報を含む信号をプロセッサ１４０に伝送することもできる。プロセッサ１４０は、ユーザ認証の結果によって割り当てられた動作を実行する認証動作段階（Ｓ５４０）を遂行することができる。例えば、ユーザ認証が成功した場合、ログイン動作が遂行されてもよく、ユーザ認証が失敗した場合、ログイン失敗案内動作が遂行されてもよい。
【００９０】
認証タッチ判断段階（Ｓ５３０）において該当タッチが認証モード完了条件を満たさないと判断されれば、再び認証モード進入判断段階（Ｓ５２０）に戻ることができる。この時、プロセッサ１４０は、ユーザ認証コントローラ１５０に認証中断信号を伝送し、ユーザ認証コントローラ１５０は、ユーザ認証情報の収集及び判断を中断することができる。
【００９１】
認証モード進入判断段階（Ｓ５２０）において該当タッチが認証モード進入条件を満たさないと判断されれば、プロセッサ１４０は、該当タッチが圧力タッチ条件を満たすのかを判断する圧力タッチ判断段階（Ｓ５５０）を遂行する。具体的に、入力されたタッチによって印加された圧力が所定の基準圧力（Ｆ１）以上になれば、該当タッチが圧力タッチ条件を満たすと判断する。入力されたタッチが圧力タッチ条件を満たすと判断されれば、該当タッチは圧力タッチと判断され得る。この時、プロセッサ１４０は、圧力タッチに割り当てられた動作を実行する圧力タッチ動作段階（Ｓ５６０）を遂行することができる。
【００９２】
圧力タッチ判断段階（Ｓ５５０）において該当タッチが圧力タッチ条件を満たさないと判断されれば、プロセッサ１４０は、該当タッチがタップタッチ条件を満たすのかを判断するタップタッチ判断段階（Ｓ５７０）を遂行する。具体的に、該当タッチがロングタッチ判断基準時点ＴＬ以前に解除されれば、該当タッチがタップタッチ条件を満たすと判断する。入力されたタッチがタップタッチ条件を満たすと判断されれば、該当タッチはタップタッチと判断され得る。この時、プロセッサ１４０は、タップタッチに割り当てられた動作を実行するタップタッチ動作段階（Ｓ５８０）を遂行することができる。
【００９３】
タップタッチ判断段階（Ｓ５７０）において該当タッチがタップタッチ条件を満たさないと判断されれば、プロセッサ１４０は、該当タッチがロングタッチ条件を満たすのかを判断するロングタッチ判断段階（Ｓ５９０）を遂行する。具体的に、該当タッチが維持された時間がロングタッチ判断基準時点ＴＬを経過すれば、該当タッチがロングタッチ条件を満たすと判断する。入力されたタッチがロングタッチ条件を満たすと判断されれば、該当タッチはタップタッチと判断され得る。この時、プロセッサ１４０は、ロングタッチに割り当てられた動作を実行するロングタッチ動作段階（Ｓ６００）を遂行することができる。
【００９４】
ロングタッチ判断段階（Ｓ５９０）において該当タッチがロングタッチ条件を満たさないと判断されれば、再び認証モード進入判断段階（Ｓ５２０）に戻ることができる。
【００９５】
図１１に説明された判別方法によれば、図１０ａのように、入力されたタッチが所定条件を満たし始めた時点である認証モード進入時点ＴＳ以前に所定の基準圧力Ｆ１以上の圧力が印加される場合、該当タッチは圧力タッチと判断され得る。この時、図１０ｂのように、入力されたタッチが所定条件を満たし始めた時点である認証モード進入時点ＴＳから所定条件を満たすことを維持する時間である所定の基準時間ΔＴが流れる以前に所定の基準圧力Ｆ１以上の圧力が印加されても、継続して認証モード完了条件を満たすのかを判断し、もしも認証モード完了条件を満たせば、該当タッチは認証タッチと判断され得る。すなわち、入力されたタッチが所定条件を満たし始める前まで該当タッチによって印加された圧力が所定の基準圧力以上にならず、該当タッチが所定条件を満たすことを維持する時間が所定基準時間以上の場合、該当タッチは認証タッチと判断され得る。
【００９６】
図９に説明された判別方法と図１１に説明された判別方法とを比較すると、それぞれのタッチの種類に対する優先順位に差がある。具体的に、ロングタッチ、圧力タッチ、及びタップタッチとは異なって、認証タッチの場合、認証モード進入後に認証モード完了条件を満たすのかを判断する時間区間ΔＴが存在する。したがって、該当時間区間ΔＴ内に圧力タッチ印加時点ＴＦが存在する場合、どんな種類のタッチを先に判別するのかを決める必要がある。図９では、圧力タッチ判別の優先順位が認証タッチ判別の優先順位よりも高く、図１１では、認証タッチ判別の優先順位が圧力タッチ判別の優先順位よりも高い。
【００９７】
図９及び図１１のフローチャートでは、認証タッチ、圧力タッチ、タップタッチ、ロングタッチの順に入力されたタッチの種類を判別すると説明したが、その順序を変えてタッチの種類を判別することも可能である。具体的に、図９の場合、入力されたタッチが所定条件を満たすことを維持する時間が所定基準時間以上の条件を満たすものの、その条件を満たす時まで該当タッチによって印加された圧力が所定の基準圧力以上にならないイベント、タッチによって印加された圧力が所定の基準圧力以上になるイベント、タッチが解除されるイベント、及びタッチ維持時間がロングタッチ判断基準時点を経過するイベントのうち最も早く起きるイベントに対応する種類で、入力されたタッチの種類を判断する。図１１の場合、入力されたタッチが所定条件を満たし始める前まで該当タッチによって印加された圧力が所定の基準圧力以上にならず、該当タッチが所定条件を満たすことを維持する時間が所定基準時間以上の条件を満たすイベント、タッチによって印加された圧力が所定の基準圧力以上になるイベント、タッチが解除されるイベント、及びタッチ維持時間がロングタッチ判断基準時点を経過するイベントのうち最も早く起きるイベントに対応する種類で、入力されたタッチの種類を判断する。
【００９８】
図９及び図１１の判別方法においては、圧力タッチ判別と認証タッチ判別の優先順位に対してだけ異なるように適用し、図６に示されたように、認証タッチ判別の優先順位がロングタッチ判別の優先順位よりも高い例を適用して説明したが、図８に説明されたように、ロングタッチ判別の優先順位が認証タッチ判別の優先順位よりも高い例を図９及び図１１に適用することも可能である。
【００９９】
同様に、タッチ入力装置１００において、ユーザ認証はＴＳ＋ΔＴ時点に、圧力タッチに割り当てられた動作はＴＦ時点に、ロングタッチに割り当てられた動作はＴＬ時点に、タップタッチに割り当てられた動作はＴＲ時点に直ちに実行されるので、それぞれの条件が満たされた後に他の条件が満たされるか否かは確認されないが、前記では、それぞれのタッチの種類に対する優先順位を説明するために、それぞれの条件が満たされた後に他の条件が満たされる時点も表記して説明した。
【０１００】
本発明の実施形態によるタッチスクリーン１３０を含むタッチ入力装置１００は、メモリ１２０をさらに含んでもよい。メモリ１２０は、前記所定の基準圧力Ｆ１、所定の基準時間ΔＴ、ロングタッチ判断時点ＴＬ、所定の基準面積Ａ１、基準パターン、及びタッチの種類によって設定された動作を格納していてもよい。本発明の実施形態によるプロセッサ１４０は、メモリ１２０を参照して前記判別アルゴリズムを遂行することができる。
【０１０１】
以上で詳しく見てみたような判別アルゴリズムを遂行できるタッチ入力装置１００のユーザが、認証タッチ、ロングタッチ、及び圧力タッチを互いに混同しないようにしなければならない必要がある。しかし、ユーザの年齢、身体条件、状況などによって、判断基準になる所定の基準圧力Ｆ１の大きさ及び所定の基準面積Ａ１が適切でないこともある。例えば、がっしりした男性の場合、所定の基準圧力Ｆ１が自身の手の力に比べて小さくて、ユーザが認証タッチをしようとする場合にも、力の調節に失敗して圧力タッチが認識されることがある。または、力が小さい子供の場合、所定の基準圧力Ｆ１が自身の手の力に比べて非常に大きくて、ユーザが圧力タッチをしようとする場合にも、所定の基準圧力Ｆ１以上の圧力でタッチをすることができず、ロングタッチ又は認証タッチと認識されることもある。同様に、手が大きい男性の場合、所定の基準面積Ａ１が自身の指の大きさ比べて小さくて、ユーザがロングタッチをしようとする場合にも、面積の調節に失敗して認証タッチが認識されることがある。または、手の小さい子供の場合、所定の基準面積Ａ１が自身の指の大きさに比べて非常に大きくて、ユーザが認証タッチをしようとする場合にも、所定の基準面積Ａ１以上の面積でタッチをすることができず、ロングタッチ又は圧力タッチと認識されることもある。
【０１０２】
本発明の実施形態においては、このような問題点を解消するために、圧力タッチの判断基準になる所定の基準圧力Ｆ１の大きさ及び／又は所定の基準面積Ａ１の大きさを調節して設定することができる。例えば、本発明の実施形態によるタッチ入力装置１００において、メモリ１２０には所定の基準圧力Ｆ１及び所定の基準面積Ａ１がデフォルト（default）値で設定されていてもよく、ユーザは必要に応じて所定の基準圧力Ｆ１値及び／又は所定の基準面積Ａ１値を変更して設定することができる。
【０１０３】
図１２ａ及び図１２ｂは、本発明の実施形態によるタッチ入力装置において、圧力タッチの判別基準を調節する方法を例示する。
【０１０４】
図１２ａに例示されたように、所定の基準圧力Ｆ１の設定のための画面がタッチスクリーン１３０にディスプレイされてもよい。図１２ａに示された例において、ユーザは自身が所望する所定の基準圧力Ｆ１を設定するために、タッチスクリーン１３０のタッチ入力領域２２を押圧することができる。この時、ユーザのタッチ圧力の大きさに応じてムービングサークル２０がバー２１２上を動くことができる。ユーザは、自身が所望する圧力レベルに到達する時までタッチ入力領域２２を押圧することができ、自身が所望する圧力レベルを所定の基準圧力Ｆ１として設定するため、該当圧力レベルでタッチ入力領域２２に対する押圧を所定時間ホールド（hold）した後に解除することができる。これにより、該当圧力で所定の基準圧力Ｆ１が設定され得る。これは単に例示に過ぎず、ユーザは多様な方法でタッチ入力装置１００に所定の基準圧力Ｆ１を設定することができ、このような設定内容はメモリ１２０に格納することができる。
【０１０５】
本発明の実施形態により、タッチスクリーン１３０の画面を分割して、各分割画面毎に互いに異なる所定の基準圧力Ｆ１が設定されてもよい。図１２ｂにおいて、タッチスクリーン１３０の画面は４つに分割され、各分割画面１、２、３、４毎に所定の基準圧力Ｆ１が設定される場合が例示される。例えば、所定の基準圧力Ｆ１を設定しようとする分割画面を選択した後、ムービングサークル２０を所望する所定の基準圧力Ｆ１のレベル位置まで動かすことによって、該当分割画面の所定の基準圧力Ｆ１を設定することができる。このような設定過程は、残りの分割画面に対しても同様に設定することができる。この時、複数の分割画面１、２、３、４のうち、複数個又は全体の分割画面が選択され、同時に同様に所定の基準圧力Ｆ１が設定されてもよい。この時、分割画面の選択は、選択しようとする分割画面をタッチすることによって実行されてもよい。その後、ムービングサークル２０を動かして所定の基準圧力Ｆ１の大きさが設定されてもよい。
【０１０６】
図１２ｂに示されたタッチスクリーン１３０の分割画面に対する所定の基準圧力Ｆ１の設定は、単に例示に過ぎず、多様な具現方法によってタッチスクリーン１３０の分割画面に対して所定の基準圧力Ｆ１を設定することができる。分割画面それぞれに対する所定の基準圧力Ｆ１の設定は、図１２ａを参照して説明された方法によって成されてもよい。
【０１０７】
図１３ａ及び図１３ｂは、本発明の実施形態によるタッチ入力装置において、認証タッチの所定基準を設定する方法を例示する。
【０１０８】
図１３ａに例示されたように、所定の基準面積Ａ１の設定のための画面がタッチスクリーン１３０にディスプレイされてもよい。図１３ａに示された例において、ユーザは自身が所望する所定の基準面積Ａ１を設定するために、タッチスクリーン１３０のタッチ入力領域２２をタッチすることができる。この時、ユーザのタッチ面積の大きさによってムービングサークル２０がバー２１２上を動くことができる。ユーザは、自身が所望する面積レベルに到達する時までタッチ入力領域２２をタッチすることができ、自身が所望する面積レベルを所定の基準面積Ａ１として設定するため、該当面積レベルでタッチ入力領域２２に対するタッチを所定時間ホールド（hold）した後に解除することができる。これにより、該当面積で所定の基準面積Ａ１が設定されてもよい。また、ユーザがタッチ入力領域２２をタッチすることによって所定の基準面積Ａ１を設定すると共に、ユーザ認証情報を格納することもできる。すなわち、ユーザの指紋情報を格納することもできる。ただし、ユーザ認証のために十分な指紋情報が必要であるため、所定の基準面積Ａ１はユーザ認証を遂行するのに最小限必要な情報を提供できる面積以上でなければならない。これは単に例示に過ぎず、ユーザは多様な方法でタッチ入力装置１００に所定の基準面積Ａ１及び／又はユーザ認証情報を設定することができ、このような設定内容はメモリ１２０に格納することができる。
【０１０９】
図１３ｂに例示されたように、所定の基準パターンの設定のための画面がタッチスクリーン１３０にディスプレイされてもよい。図１３ｂに示された例において、ユーザは自身が所望する所定の基準パターンを設定するため、タッチスクリーン１３０のタッチ入力領域２２をタッチすることができる。この時、ユーザは自身が所望する基準パターンが設定されるように、指の位置、方向及び／又は角度を調節することができる。具体的に、ユーザの指紋領域のうちの手の平に近い下方領域を基準パターンに設定することもでき、指の節を含むように基準パターンを設定することもでき、指の角度を調節して横面が含まれるように基準パターンを設定することもできる。自身が所望するパターンを基準パターンとして設定するため、該当パターンでタッチ入力領域２２に対するタッチを所定時間ホールド（hold）した後に解除することができる。これにより、該当パターンで所定の基準パターンが設定されてもよい。また、ユーザがタッチ入力領域２２をタッチすることによって所定の基準パターンを設定すると共に、ユーザ認証情報を格納することもできる。すなわち、ユーザの指紋情報を格納することもできる。ただし、ユーザ認証のために十分な指紋情報が必要であるため、所定の基準パターンはユーザ認証を遂行するのに最小限必要な情報を提供できなければならない。これは単に例示に過ぎず、ユーザは多様な方法でタッチ入力装置１００に所定の基準パターン及び／又はユーザ認証情報を設定することができ、このような設定内容はメモリ１２０に格納することができる。
【０１１０】
以上において、実施形態を中心に説明したが、これは単に例示に過ぎず、本発明を限定する訳ではなく、本発明が属する分野における通常の知識を有する者であれば、本実施形態の本質的な特性を外れない範囲で、以上に例示されない様々な変形と応用が可能であることが分かるはずである。例えば、実施形態に具体的に示された各構成要素は、変形して実施することができるものである。そして、このような変形と応用に係る相違点は、添付の特許請求の範囲において規定する本発明の範囲に含まれるものと解釈されるべきであろう。
【符号の説明】
【０１１１】
１００          タッチ入力装置
１１０          タッチコントローラ
１２０          メモリ
１３０          タッチスクリーン
１４０          プロセッサ
１５０          ユーザ認証コントローラ
【図１】
2018156655.tif 000003
【図２ａ】
2018156655.tif 000004
【図２ｂ】
2018156655.tif 000005
【図３ａ】
2018156655.tif 000006
【図３ｂ】
2018156655.tif 000007
【図４ａ】
2018156655.tif 000008
【図４ｂ】
2018156655.tif 000009
【図４ｃ】
2018156655.tif 000010
【図５】
2018156655.tif 000011
【図６】
2018156655.tif 000012
【図７ａ】
2018156655.tif 000013
【図７ｂ】
2018156655.tif 000014
【図７ｃ】
2018156655.tif 000015
【図７ｄ】
2018156655.tif 000016
【図８】
2018156655.tif 000017
【図９】
2018156655.tif 000018
【図１０ａ】
2018156655.tif 000019
【図１０ｂ】
2018156655.tif 000020
【図１０ｃ】
2018156655.tif 000021
【図１１】
2018156655.tif 000022
【図１２ａ】
2018156655.tif 000023
【図１２ｂ】
2018156655.tif 000024
【図１３ａ】
2018156655.tif 000025
【図１３ｂ】
2018156655.tif 000026